(57)【要約】【課題】簡単な構成で、用紙の分離性能を向上させ、給紙ミスや用紙の重送を確実に防止することができる給紙装置およびこれを備えた画像形成装置を提供することを目的とする。【解決手段】給紙装置には、捌きパッド３２に対して、用紙搬送方向（図中の矢印Ｄの方向）上流側に配設され、用紙搬送方向Ｄの下流側から上流側の方向（即ち、図中の矢印Ｃの方向）にのみ回転する前捌きローラ３３が設けられている。そして、ピックアップローラ３０により送り出された複数の用紙９が、前捌きローラ３３と接触するととともに、当該前捌きローラ３３により、ほぼ分離された状態となって、給紙ローラ３１と捌きパッド３２の間のニップへと搬送される。従って、用紙の分離性能を向上させ、給紙ミスや用紙の重送を確実に防止することが可能になる。【選択図】  図２
2006298525.tif 000002
【特許請求の範囲】
【請求項１】
用紙が収容される給紙カセットと、前記給紙カセットに収容された用紙を送り出すためのピックアップローラと、前記ピックアップローラにより送り出された用紙を搬送するための給紙ローラと、前記給紙ローラに対向して配設されるとともに、前記給紙ローラに圧接された捌き部材と、を備える給紙装置において、
前記捌き部材に対して、前記用紙の搬送方向上流側に配設されるとともに、前記給紙ローラと前記捌き部材の間のニップへと搬送される前記用紙と接触する前捌きローラを更に備え、前記前捌きローラは、前記用紙の搬送方向の下流側から上流側の方向にのみ回転することを特徴とする給紙装置。
【請求項２】
前記前捌きローラを駆動する駆動源を更に備えるとともに、前記用紙の搬送時における前記前捌きローラの回転方向の駆動力がかかった場合に、前記前捌きローラの駆動軸に対して前記駆動源の駆動力を伝達するとともに、前記前捌きローラの回転方向と逆方向の駆動力がかかった場合に、前記駆動軸に対してスリップする一方向クラッチが、前記前捌きローラの駆動軸と前記駆動源の間に設けられていることを特徴とする請求項１に記載の給紙装置。
【請求項３】
前記前捌きローラが複数個設けられるとともに、前記前捌きローラは、前記用紙の表面上で、前記用紙の搬送方向に直交する方向において、前記給紙ローラおよび前記捌き部材を挟むように配設されていることを特徴とする請求項１または請求項２に記載の給紙装置。
【請求項４】
請求項１乃至請求項３のいずれかに記載の給紙装置を備えることを特徴とする画像形成装置。
【発明の詳細な説明】
【技術分野】
【０００１】
本発明は、給紙カセットに収納された用紙を分離して搬送するための捌き部材を有する給紙装置およびこれを備えた画像形成装置に関する。
【背景技術】
【０００２】
一般に、複写機、プリンタ装置、ファクシミリ装置等の画像形成装置においては、装置本体内の画像形成部に給紙を行うための給紙装置が設けられている。また、一般に、この給紙装置には、用紙が収容された給紙カセットが設けられているが、用紙を給紙カセットから画像形成部に供給するときに、印字不良や紙詰まりによる装置の停止等を防止するために、用紙を給紙装置で１枚ずつ分離して画像形成部に搬送する必要がある。
【０００３】
そこで、給紙カセットに収容された用紙のうち、１枚の用紙のみを分離して搬送するために、用紙案内ガイドを供えた給紙装置が知られている。より具体的には、この給紙装置は、揺動アームに支持されて上下動するピックアップローラと、当該揺動アームに設けられた用紙案内ガイドを備えている。そして、用紙案内ガイドを、ピックアップローラの下降時に、捌きパッドの捌き面と所要の角度をなすように配置するとともに、用紙積載部から送り出される用紙を捌き面に向かって案内するガイド面を用紙案内ガイドに設ける構成としている。本構成により、最上位の用紙だけが捌きローラの回転力により搬送され、他の用紙は捌き面との摩擦により停止するため、複数の用紙の重送を防止することができると記載されている（例えば、特許文献１参照）。
【０００４】
また、給紙ローラに圧接する捌きパッドよりも給紙方向に対して上流側に近接され、用紙の先端部を給紙ローラと捌きパッドとの間へ案内するための回転自在な案内コロを備える給紙装置が開示されている。本構成により、給紙ローラと捌きパッドの間への用紙の侵入がスムーズになるため、給紙ミスや重送等の発生を防止することができると記載されている（例えば、特許文献２参照）。
【特許文献１】特開２００２−２２６０７３号公報
【特許文献２】実開平５−１０３４９号公報
【発明の開示】
【発明が解決しようとする課題】
【０００５】
しかし、特許文献１に記載の給紙装置においては、用紙案内ガイドがパッド状に形成されているため、用紙案内ガイドの同じ面（即ち、ガイド面）が、常に、搬送される用紙と接触することになる。その結果、当該用紙案内ガイドのガイド面が用紙との摩擦により変形しやすくなり、用紙案内ガイドの耐久性が乏しくなるという問題があった。また、特許文献２に記載の給紙装置においては、案内コロが、用紙搬送方向上流側から用紙搬送方向下流側に向けて回転する構成となっている。従って、複数の用紙が、給紙ローラと捌きパッドの間に勢い良く搬送されてしまう場合が生じ、用紙の重送を十分に防止することができないという問題があった。
【０００６】
そこで、本発明は、上述の問題に鑑みてなされたものであり、簡単な構成で、用紙の分離性能を向上させ、給紙ミスや用紙の重送を確実に防止することができる給紙装置およびこれを備えた画像形成装置を提供することを目的とする。
【課題を解決するための手段】
【０００７】
上記目的を達成するために、請求項１に記載の本発明は、用紙が収容される給紙カセットと、給紙カセットに収容された用紙を送り出すためのピックアップローラと、ピックアップローラにより送り出された用紙を搬送するための給紙ローラと、給紙ローラに対向して配設されるとともに、給紙ローラに圧接された捌き部材と、を備える給紙装置において、捌き部材に対して、用紙の搬送方向上流側に配設されるとともに、給紙ローラと捌き部材の間のニップへと搬送される用紙と接触する前捌きローラを更に備え、前捌きローラは、用紙の搬送方向の下流側から上流側の方向にのみ回転することを特徴とする。
【０００８】
請求項１に記載の構成によれば、ピックアップローラにより送り出された複数の用紙が、給紙ローラと捌きパッドの間のニップへと送られる前に、前捌きローラにより、ほぼ分離された状態となって、給紙ローラと捌きパッドの間のニップへと送られることになる。従って、用紙の分離性能を向上させ、給紙ミスや用紙の重送を確実に防止することが可能になる。
【０００９】
また、前捌きローラを回転させる構成としているため、上記従来技術のパッド状に形成された用紙案内ガイドと異なり、前捌きローラの同じ部分が、常に、搬送される用紙と接触することがなくなる。従って、前捌きローラが用紙との摩擦により変形しにくくなるため、前捌きローラの耐久性が向上し、前捌きローラの長寿命化を図ることが可能になる。
【００１０】
請求項２に記載の発明は、請求項１に記載の給紙装置であって、前捌きローラを駆動する駆動源を更に備えるとともに、用紙の搬送時における前捌きローラの回転方向の駆動力がかかった場合に、前捌きローラの駆動軸に対して駆動源の駆動力を伝達するとともに、前捌きローラの回転方向と逆方向の駆動力がかかった場合に、駆動軸に対してスリップする一方向クラッチが、前捌きローラの駆動軸と前記駆動源の間に設けられていることを特徴とする。
【００１１】
請求項２に記載の構成によれば、簡単な構成で、前捌きローラを、用紙の搬送方向の下流側から上流側の方向にのみ回転させることが可能になるとともに、用紙の分離性能を向上させ、給紙ミスや用紙の重送を確実に防止することが可能になる。また、簡単な構成で、前捌きローラの耐久性が向上させ、前捌きローラの長寿命化を図ることが可能になる。
【００１２】
また、前捌きローラを複数個設ける場合においては、請求項３に記載のように、請求項１または請求項２に記載の給紙装置であって、前捌きローラは、用紙の表面上で、用紙の搬送方向に直交する方向において、給紙ローラおよび捌き部材を挟むように配設することができる。
【００１３】
また、請求項４に記載の発明は、請求項１乃至請求項３のいずれかに記載の給紙装置を備えることを特徴とする画像形成装置である。
請求項４に記載の構成によれば、請求項１ないし請求項３のいずれかに記載の給紙装置を備える構成としているため、請求項１乃至請求項３のいずれかに記載の給紙装置と同じ効果を得ることが可能になる。
【発明の効果】
【００１４】
本発明によれば、用紙の分離性能を向上させ、給紙ミスや用紙の重送を確実に防止することが可能になる。また、前捌きローラの耐久性が向上し、前捌きローラの長寿命化を図ることが可能になる。
【発明を実施するための最良の形態】
【００１５】
以下に、本発明の具体的な実施形態について図面を参照しながら説明する。図１は、本発明の実施形態に係る画像形成装置の全体構成を示す概略図である。図１に示す様に、この画像形成装置１は、複写機であり、装置本体１ａの下部に配設された給紙装置として機能する給紙部２と、この給紙部２の側方及び上方に配設された用紙搬送部３と、この用紙搬送部３の上方に配設された画像形成部４と、この画像形成部４よりも排出側に配設された定着部５と、これらの画像形成部４、及び定着部５の上方に配設された画像読取部６を備えている。
【００１６】
給紙部２は、用紙９が収容された複数（本実施形態においては２つ）の給紙カセット７を備えており、ピックアップローラ３０の矢印Ａ方向（後述の図２参照）への回転動作により、当該複数の給紙カセット７のうち選択された給紙カセット７から用紙９が用紙搬送部３側に送り出され、用紙９が用紙搬送部３に給紙されるように構成されている。尚、給紙カセット７は、装置本体１ａに対して開閉自在（又は、着脱自在）となるように設けられている。
【００１７】
又、本実施形態においては、手差し給紙ユニット２２が設けられており、当該手差し給紙ユニット２２は、手差し給紙トレイ２３と、ピックアップローラ２４を備えている。手差し給紙トレイ２３に載置された用紙は、ピックアップローラ２４の回転動作により、当該手差し給紙トレイ２３から用紙供給搬送路１０に送り出されるように構成されている。
【００１８】
用紙搬送部３に給紙された用紙９は、用紙供給搬送路１０を経由して画像形成部４に向けて搬送される。この画像形成部４は、電子写真プロセスによって、用紙９に所定のトナー像を形成するものであり、所定の方向（図中の矢印Ｘ方向）に回転可能に軸支された像担持体である感光体１１と、この感光体１１の周囲にその回転方向に沿って、帯電装置１２、露光装置１３、現像装置１４、転写装置１５、クリーニング装置１６、及び除電装置１７を備えている。
【００１９】
帯電装置１２は、高電圧が印加される帯電ワイヤを備えており、この帯電ワイヤからのコロナ放電によって感光体１１の表面に所定電位を与えることにより、感光体１１の表面が一様に帯電させられる。そして、露光装置１３により、画像読取部６によって読み取られた原稿の画像データに基づく光が、感光体１１に照射されることにより、感光体１１の表面電位が選択的に減衰されて、この感光体１１の表面に静電潜像が形成される。次いで、現像装置１４により、上記静電潜像にトナーが付着し、感光体１１の表面にトナー像が形成され、転写装置１５により、感光体１１の表面のトナー像が、感光体１１と転写装置１５との間に供給された用紙９に転写される。
【００２０】
トナー像が転写された用紙９は、画像形成部４から定着部５に向けて搬送される。この定着部５は、画像形成部４の用紙搬送方向の下流側に配置されており、画像形成部４においてトナー像が転写された用紙９は、定着部５に設けられた加熱ローラ１８、及び当該加熱ローラ１８に押し付けられる加圧ローラ１９によって挟まれるとともに加熱され、用紙９上にトナー像が定着される。次いで、画像形成部４から定着部５において画像形成がなされた用紙９は、排出ローラ対２０によって排出トレイ２１上に排出される。一方、上記転写後、感光体１１の表面に残留しているトナーは、クリーニング装置１６により除去され、感光体１１の表面の残留電荷は、除電装置１７により除去される。そして、感光体１１は帯電装置１２によって再び帯電され、以下同様にして画像形成が行われることになる。
【００２１】
次に、本実施形態の給紙装置について、図面を参照しながら説明する。図２は、本発明の実施形態における給紙装置の給紙ローラ周辺の外観構成を示す部分拡大図である。また、図３は、本発明の実施形態における給紙装置の前捌きローラの駆動手段を説明するための断面図である。
【００２２】
図２に示す様に、給紙部２には、給紙カセット７の上方に配設され、当該給紙カセット７に収容された用紙９を送り出すためのピックアップローラ３０と、ピックアップローラ３０により送り出された用紙を搬送するための給紙ローラ３１と、給紙ローラ３１に対向して配設されるとともに、当該給紙ローラ３１に圧接された捌き部材である捌きパッド３２とを備えている。
【００２３】
また、給紙カセット７には、用紙を積載するための用紙積載板（不図示）が設けられており、給紙カセット７の底部には、当該用紙積載板を上方に付勢するためのバネ（不図示）が設けられている。そして、当該バネにより、給紙カセット７内に収容され、用紙積載板上に載置された用紙がピックアップローラ３０に押し付けられている。
【００２４】
また、図示していないが、捌きパッド３２の下方には、当該捌きパッド３２を上方に付勢するための付勢手段（例えば、コイルスプリング）が設けられており、当該付勢手段により、捌きパッド３２が給紙ローラ３１に圧接されるように構成されている。
【００２５】
ここで、本実施形態においては、給紙ローラ３１と捌きパッド３２の間のニップへと搬送される用紙９と接触する前捌きローラ３３を設けている点に特徴がある。この前捌きローラ３３は、図２に示すように、捌きパッド３２に対して、用紙搬送方向（図中の矢印Ｄの方向）上流側に配設されている。
【００２６】
また、当該前捌きローラ３３は、用紙搬送方向Ｄの下流側から上流側の方向（即ち、図中の矢印Ｃの方向）にのみ回転する構成となっている。より具体的には、図３に示すように、前捌きローラ３３の駆動手段５０は、前捌きローラ３３を駆動するための駆動源であり、正逆方向に回転可能なモータ５７と、原動軸５８を介してモータ５７に接続された駆動入力ギア５９と、前捌きローラ３３の駆動軸３４に接続され、当該駆動入力ギア５９と噛合する前捌きローラギア６１とを備えている。そして、モータ５７が駆動し、原動軸５８が回転すると、駆動力が、駆動入力ギア５９→前捌きローラギア６１→駆動軸３４の順で伝達されて、前裁きローラ３３が回転する構成となっている。
【００２７】
また、本実施形態においては、図３に示す様に、前捌きローラ３３の駆動軸３４とモータ５７の間に、一方向クラッチ（ワンウェイクラッチ）６０が設けられている。より具体的には、この、一方向クラッチ６０は、前捌きローラ３３の駆動軸３４に接続された前捌きローラギア６１に設けられており、前捌きローラギア６１に、用紙９の搬送時における前捌きローラ３３の回転方向（即ち、図２に示す矢印Ｃの方向）の駆動力がかかったときにのみ、駆動軸３４に対してモータ５７の駆動力を伝達するものであり、前捌きローラ３３の回転方向Ｃと逆方向の駆動力がかかった場合には、駆動軸３４に対してスリップする構成となっている。
【００２８】
次に、給紙カセット７に収容された用紙が送り出される動作について説明する。図４は、本発明の実施形態における給紙装置の給紙ローラ周辺の外観構成を示す部分拡大図であって、用紙が前捌きローラにより分離される状態を示す図である。また、図５は、本発明の実施形態における給紙装置の給紙ローラ周辺の外観構成を示す部分拡大図であって、前捌きローラにより分離された用紙が、給紙ローラと捌きパッドの間のニップへと送られる状態を示す図である。
【００２９】
コピースイッチがＯＮになると、ピックアップローラ３０、給紙ローラ３１、および前捌きローラ３３の駆動が開始される。そして、ピックアップローラ３０と給紙ローラ３１が、夫々図中の矢印Ａ、Ｂの方向に回転し、ピックアップローラ３０に押し付けられた用紙９が矢印Ｄの方向に送り出される。そして、送り出された用紙９は、給紙ローラ３１と捌きパッド３２の間のニップへと送られる。
【００３０】
この際、本実施形態においては、上述のごとく、捌きパッド３２に対して、用紙搬送方向（図中の矢印Ｄの方向）上流側に配設され、用紙搬送方向Ｄの下流側から上流側の方向（即ち、図中の矢印Ｃの方向）にのみ回転する前捌きローラ３３を設ける構成としている。
【００３１】
従って、図４に示すように、ピックアップローラ３０により送り出された複数の用紙９（即ち、用紙９の束）が、給紙ローラ３１と捌きパッド３２の間のニップへと搬送される前に、前捌きローラ３３と接触するととともに、当該前捌きローラ３３により、ほぼ分離された（即ち、１枚毎に近い状態に分離された）状態となって、給紙ローラ３１と捌きパッド３２の間のニップへと搬送されることになる。即ち、複数の用紙９が、給紙ローラ３１と捌きパッド３２の間に勢い良く搬送されてしまうという不都合を回避することが可能になる。そして、図５に示すように、前捌きローラ３３により、分離されなかったごく少量の用紙９の束が、給紙ローラ３１と捌きパッド３２の間のニップにおいて、捌きパッド３２により分離される構成となっている。
【００３２】
即ち、本実施形態においては、上述の前捌きローラ３３を設けることにより、複数の用紙９がほぼ分離された状態で、給紙ローラ３１と捌きパッド３２の間のニップへと搬送することが可能になるため、用紙の分離性能を向上させ、給紙ミスや用紙の重送を確実に防止することが可能になる。
【００３３】
また、上述のごとく、前捌きローラ３３を回転させる構成としているため、上記従来技術のパッド状に形成された用紙案内ガイドと異なり、前捌きローラ３３のガイド面３３ａ（即ち、外周面）の同じ部分が、常に、搬送される用紙９と接触することがなくなる。従って、前捌きローラ３３のガイド面３３ａが用紙９との摩擦により変形しにくくなるため、前捌きローラ３３の耐久性が向上し、当該前捌きローラ３３の長寿命化を図ることが可能になる。
【００３４】
また、前捌きローラ３３を駆動する駆動源であるモータ５７を更に備えるとともに、用紙９の搬送時における前捌きローラ３３の回転方向の駆動力がかかった場合に、前捌きローラ３３の駆動軸３４に対してモータ５７の駆動力を伝達するとともに、前捌きローラ３３の回転方向と逆方向の駆動力がかかった場合に、駆動軸３４に対してスリップする一方向クラッチ６０を、前捌きローラ３３の駆動軸３４とモータ５７の間に設ける構成としている。従って、簡単な構成で、前捌きローラ３３を、用紙９の搬送方向Ｄの下流側から上流側の方向にのみ回転させることが可能になるとともに、用紙９の分離性能を向上させ、給紙ミスや用紙９の重送を確実に防止することが可能になる。また、簡単な構成で、前捌きローラ３３の耐久性が向上させ、当該前捌きローラ３３の長寿命化を図ることが可能になる。
【００３５】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００３６】
例えば、上記実施形態においては、捌きパッド３２を設ける構成としたが、図６に示す様に、当該捌きパッド３２の代わりに、給紙ローラ３１に対向して配設されるとともに、当該給紙ローラ３１に圧接された捌きローラ３５を設ける構成としても良い。そして、この場合も、給紙ローラ３１と捌きローラ３５の間のニップへと搬送される用紙９と接触する前捌きローラ３６を設ける構成とすることができる。この前捌きローラ３６は、図６に示すように、捌きローラ３５に対して、用紙搬送方向Ｄの上流側に配設されている。また、図７に示す様に、前捌きローラ３６は複数個（図６においては２個）設けられるとともに、これらの前捌きローラ３６は、用紙９の表面上で、当該用紙９の搬送方向Ｄに直交する方向Ｅ（即ち、用紙９の幅方向）において、給紙ローラ３１および捌きローラ３５を挟むように配設されている。なお、上述した前捌きローラ３３を複数個設ける場合においても、図６に示す前捌きローラ３６と同様に配設することができる。
【００３７】
また、前捌きローラ３６は、用紙搬送方向Ｄの下流側から上流側の方向（即ち、図中の矢印Ｃの方向）にのみ回転する構成となっている。なお、この場合も、上述の駆動手段５０により、前捌きローラ３６の回転方向が制御される構成となっている。
【００３８】
そして、この場合も、上述の前捌きローラ３３を設ける場合と同様に、コピースイッチがＯＮになると、ピックアップローラ３０、給紙ローラ３１、および前捌きローラ３６の駆動が開始される。そして、ピックアップローラ３０と給紙ローラ３１が、夫々図中の矢印Ａ、Ｂの方向に回転し、ピックアップローラ３０に押し付けられた用紙９が矢印Ｄの方向に送り出される。そして、送り出された用紙９は、給紙ローラ３１と捌きパッド３２の間のニップへと搬送される。
【００３９】
そして、図８に示すように、ピックアップローラ３０により送り出された複数の用紙９（即ち、用紙９の束）が、給紙ローラ３１と捌きローラ３５の間のニップへと送られる前に、前捌きローラ３６と接触する。この際、複数の用紙９は、当該前捌きローラ３６により、ほぼ分離された（即ち、１枚毎に近い状態に分離された）状態となって、給紙ローラ３１と捌きローラ３５の間のニップへと送られることになる。そして、図９に示すように、前捌きローラ３６により、分離されなかったごく少量の用紙９の束が、給紙ローラ３１と捌きローラ３５の間のニップにおいて、捌きローラ３５により分離される構成となっている。
【００４０】
即ち、前捌きローラ３６を設けることにより、複数の用紙９がほぼ分離された状態で、給紙ローラ３１と捌きローラ３５の間のニップへと搬送することが可能になるため、用紙の分離性能を向上させ、給紙ミスや用紙の重送を確実に防止することが可能になる。
【００４１】
また、上述のごとく、前捌きローラ３６を回転させる構成としているため、上記従来技術のパッド状に形成された用紙案内ガイドと異なり、前捌きローラ３６のガイド面３６ａ（即ち、外周面）の同じ部分が、常に、搬送される用紙９と接触することがなくなる。従って、前捌きローラ３６のガイド面３６ａが用紙との摩擦により変形しにくくなるため、前捌きローラ３６の耐久性が向上し、当該前捌きローラ３６の長寿命化を図ることが可能になる。
【００４２】
また、上述の駆動手段５０により、前捌きローラ３６の回転方向を制御することにより、従って、簡単な構成で、前捌きローラ３６を、用紙９の搬送方向Ｄの下流側から上流側の方向にのみ回転させることが可能になるとともに、用紙９の分離性能を向上させ、給紙ミスや用紙９の重送を確実に防止することが可能になる。また、簡単な構成で、前捌きローラ３６の耐久性が向上させ、当該前捌きローラ３６の長寿命化を図ることが可能になる。
【００４３】
さらに、上記実施形態においては、画像形成装置の一例として、複写機を示したが、ファクシミリやプリンタ等の他の画像形成装置であっても良いことは言うまでもない。
【産業上の利用可能性】
【００４４】
本発明の活用例としては、給紙カセットに収納された用紙を分離して搬送するための捌き部材を有する給紙装置およびこれを備えた画像形成装置が挙げられる。
【図面の簡単な説明】
【００４５】
【図１】本発明の実施形態に係る画像形成装置の全体構成を示す概略図である。
【図２】本発明の実施形態における給紙装置の給紙ローラ周辺の外観構成を示す部分拡大図である。
【図３】本発明の実施形態における給紙装置の前捌きローラの駆動手段を説明するための断面図である。
【図４】本発明の実施形態における給紙装置の給紙ローラ周辺の外観構成を示す部分拡大図であって、用紙が前捌きローラにより分離される状態を示す図である。
【図５】本発明の実施形態における給紙装置の給紙ローラ周辺の外観構成を示す部分拡大図であって、前捌きローラにより分離された用紙が、給紙ローラと捌きパッドの間のニップへと送られる状態を示す図である。
【図６】本発明の他の給紙装置の給紙ローラ周辺の外観構成を示す部分拡大図である。
【図７】図６に示す給紙装置の給紙ローラ周辺の外観構成を示す上面図である。
【図８】本発明の他の給紙装置の給紙ローラ周辺の外観構成を示す部分拡大図であって、用紙が前捌きローラにより分離される状態を示す図である。
【図９】本発明の他の給紙装置の給紙ローラ周辺の外観構成を示す部分拡大図であって、前捌きローラにより分離された用紙が、給紙ローラと捌きパッドの間のニップへと送られる状態を示す図である。
【符号の説明】
【００４６】
１…画像形成装置、１ａ…装置本体、２…給紙部、７…給紙カセット、９…用紙、３０…ピックアップローラ、３１…給紙ローラ、３２…捌きパッド、３３…前捌きローラ、３４…駆動軸、３５…捌きローラ、３６…前捌きローラ、５０…駆動手段、５７…モータ、６０…一方向クラッチ、Ｃ…前捌きローラの回転方向、Ｄ…用紙搬送方向、Ｅ…用紙搬送方向に直交する方向  
【図１】
2006298525.tif 000003
【図２】
2006298525.tif 000004
【図３】
2006298525.tif 000005
【図４】
2006298525.tif 000006
【図５】
2006298525.tif 000007
【図６】
2006298525.tif 000008
【図７】
2006298525.tif 000009
【図８】
2006298525.tif 000010
【図９】
2006298525.tif 000011